(57)【要約】【課題】  天板の全長に亘って設けられた溝やスリットによる配線出入れ部に対して、その一部をカバーするように隠すことができると共に、その隠す位置を自由に移動させることができるようにした配線出入れ部カバーを提供すること。【解決手段】  溝状又はスリット状の配線出入れ部が形成された机の天板の上面から凸出する断面外形を備えたカバー体であって、前記配線出入れ部を跨ぐことができる前後幅とその配線出入れ部の一部を覆うことができる長さのカバー体を形成したこと。【選択図】図１
2014151075.tif 000002
【特許請求の範囲】
【請求項１】
溝状又はスリット状の配線出入れ部が形成された机の天板の上面から凸出する断面外形を備えたカバー体であって、前記配線出入れ部を跨ぐことができる前後幅とその配線出入れ部の一部を覆うことができる長さのカバー体に形成したことを特徴とする天板の配線出入れ部カバー。
【請求項２】
カバー体の下面側に、前記配線出入れ部の前後の縁に当接する当接片を備えた係止具を設け、前記縁に沿ってカバー体を当該配線出入れ部の任意の位置に移動できるようにした請求項１に記載の配線出入れ部カバー。
【請求項３】
カバー体の下端部には、その下端部から連続して形成された略水平な翼状部を備えた請求項１又は２に記載の配線出入れ部カバー。
【請求項４】
カバー体の壁面に、コンセント等の電気接続具を有する接続ターミナルを設けた請求項１〜３のいずれかに記載の配線出入れ部カバー。
【請求項５】
翼状部は、浅い溝状乃至凹状の断面に形成した請求項１〜４のいずれかに記載の配線出入れ部カバー。
【請求項６】
カバー部と翼状部との外面を、織布，不織布などの柔軟なシート材や面状パッド材などの被覆材で覆った請求項１〜５のいずれかに記載の配線出入れ部カバー。
【発明の詳細な説明】
【技術分野】
【０００１】
本発明は、天板上に配線が引出したり、天板側から配線を天板下の配線ダクトに導入したりできるように、当該天板に溝やスリット、穴などによる配線出入れ部を備えた天板に当該配線出入れ部の上に載置して有用であり、また小型電子機器用スタンドとしても機能するようにした配線出入れ部カバーに関する。
【背景技術】
【０００２】
従来から、対面式で着座する天板を有する机では、その中央部に溝乃至はスリット状、或は、長穴状などの配線出入れ部を形成し、当該出入れ部に開閉自在又は着脱自在の蓋やカバーを設けるようにした形態が知られている。なお、配線出入れ部の下には、通常、配線を通したり収容したりする配線ダクトが設けられている。
【０００３】
上記の配線出入れ部の中で、対面式のフリーアドレス方式で着座する大型天板を備えた机では、フリーアドレス方式で多人数が各人が夫々にパソコン等の電子端末を机上で使用するのに便利なように、天板の長さ方向に貫通した溝状の配線出入れ部を採用するものが多い。
【０００４】
天板の全長に亘り形成された溝状の配線出入れ部では、蓋やカバーが設けられず、溝の全長が、机上に露出したままとなるため、この点で体裁や見映えが良好でないという問題がある。
【０００５】
一方、一定長の溝や長穴の長さと幅に合せた仕様で開閉式や着脱式のカバーや蓋を誂えて装着したタイプのものは、その製作手間やコストが無視できないのみならず、複雑な開閉構造や着脱構造によって経年変化や外力などの作用で壊れたり動作トラブルが生じることが問題である。
【０００６】
また、従来の蓋やカバーにはコンセントなどを設けたものもあるが、その蓋やカバーは、適用する溝や長穴に合致した構造，形態であるため移動できず、コンセント等の位置が固定されてしまうという問題もある。
【先行技術文献】
【特許文献】
【０００７】
【特許文献１】特開２００４−２２９９４５号公報
【特許文献２】特開２００９−９５３６０号公報
【特許文献３】特開２０１２−１００６８８号公報
【特許文献４】特許第４４２７１３０号
【特許文献５】特許第４２４４１８３号
【発明の概要】
【発明が解決しようとする課題】
【０００８】
そこで、本発明では、特に天板の全長に亘って設けられた溝やスリットによる配線出入れ部に対して、その一部をカバーするように隠すことができると共に、その隠す位置を自由に移動させることができるようにした配線出入れ部カバーを提供することを課題とする。
【課題を解決するための手段】
【０００９】
上記課題を解決することを目的としてなされた本発明配線出入れ部カバーの構成は、溝状又はスリット状の配線出入れ部が形成された机の天板の上面から凸出する断面外形を備えたカバー体であって、前記配線出入れ部を跨ぐことができる前後幅とその配線出入れ部の一部を覆うことができる長さのカバー体を形成したことを特徴とするものである。
【００１０】
本発明配線出入れ部カバーにおいて、カバー体の断面外形は、台形状，矩形状，略椀状，山形状など、天板の上面から凸出する形状であればよい。このカバー体には、下面に配線出入れ部の縁に当る当接片を備えた係止具を設け、配線出入れ部の縁に沿って移動可能にして配線出入れ部の任意の位置をカバーすることができる。また、カバー体の下端部には略水平な翼状部を設けることができる。この翼状部はカバー体の一方又は両方の下端部から一体に形成できる。
【００１１】
前記カバー体において、壁面には、コンセント等の電気接続具を有する接続ターミナルを設けることができる。この接続ターミナルを壁面の両面又は片面のいずれに設けるか、並びに、一面に複数個の電気接続具を設けるか否かは、適宜選択すればよい。カバーに接続ターミナルが設けられていると、接続タップなどが配線ダクト内に位置しないから、端末機器の接続手間が簡便になる。
【００１２】
前記カバー体において、壁面に連続して設けられている翼状部は、断面を浅い溝状乃至略凹状に形成することができる。また、翼状部の裏面には滑り止めシート材を設けることがある。翼状部を浅い溝状など断面略凹状に形成すると、その凹状部の上方に連続した壁面との作用で、充電時などの携帯電話機などの小型端末を立てかけて待機させることができるから、そのような端末が机上で邪魔にならない。
【００１３】
本発明配線出入れ部カバーは、そのカバー体と翼状部との外面を、織布や不織布等の柔軟なシート材や面状パッド材、或は、パット材に積層した不織布などの被覆材で覆うことができる。このようにすると前記カバー体と翼状部を形成している金属材や合成樹脂材が持つ硬質で冷たい感触などの材質感を柔らげる効果が得られる。被覆材の採用の際に、そのカラーを選択すれば、見映えの上でも好ましくできる。
【００１４】
また、上記構成において係止具は、対向する当接片の間隔を可変にしたものを設けることができる。さらには、間隔可変に代えて当接片の間隔が異なる複数個の係止具を、カバー本体部の下面に取替え可能に設ける構成としてもよい。間隔可変の当接片では、対向当接片をバネを用いて常に最大離間幅となる側に付勢した構成にすると、バネの作用で対向当接片は幅の異なる配線出入れ部であっても、常にその出入れ部の縁に密着できることになる。係止具に上記構成を採ると、幅（前後方向の幅）が異なる配線出入れ部に同じ本発明カバーを適用することができるので、配線出入れ部カバーとしての汎用性が高まる。
【発明の効果】
【００１５】
本発明による配線出入れ部カバーは、溝状又はスリット状の配線出入れ部が形成された机の天板の上面から凸出する断面外形を備えたカバー体であって、前記配線出入れ部を跨ぐことができる前後幅とその配線出入れ部の一部を覆うことができる長さのカバー体によって形成したから、天板中央に貫通して設けられた長い溝状の配線出入れ部を体裁が良好になるようにカバーすることができる。
【００１６】
また、配線出入れ部を跨いで置くタイプであるから、設置，移動，撤去のいずれにおいても何らかの工具や段取りを全く必要としない。この点で従来の特定の配線出入れ部に合せて形成されて装着される蓋やカバーに比べ、きわめて合理的かつ省力的に取扱うことができる。
【００１７】
さらに、この配線出入れ部カバーのカバー体は、断面形状がシンプルゆえに金属板や合成樹脂板などの板材の曲げ加工、或は、押出し等の成型加工により容易に作製可能であるから、従来の配線出入れ部の蓋やカバーに比べ至って簡単な手間，工程により容易に作製することができる。また、このカバー体は、その表面をフェルト等のクッション材を不織布や布地、或は、柔軟合成樹脂シート等の柔軟なシート材で被覆して、配線出入れ部カバーの質感を軟らかい感触に仕上げることができる。
【図面の簡単な説明】
【００１８】
【図１】本発明配線出入れ部カバーの一例の斜視図。
【図２】図１の配線出入れ部カバーの正面図。
【図３】図２の配線出入れ部カバーの底面図。
【図４】図１のカバーの拡大右側面図。
【図５】本発明配線出入れ部カバーの別例の側端部の拡大側面図。
【発明を実施するための形態】
【００１９】
次に本発明の実施形態の例について、図を参照して説明する。図１において、Ａは机の天板の一部、Ｂは該天板Ａの長手方向に沿って形成した溝状の配線出入れ部である。
【００２０】
配線出入れ部Ｂは、図示しないが、机の様式（例えばシングル天板机、対向ダブル天板机など）によって、天板の奥行き方向（前後方向）の一側に沿って設けられたり、天板の奥行き方向の中央部に設けられるが、図１の出入れ部Ｂは後者の例で天板の長さ方向全長に亘り設けられたものの一部として示されている。なお、配線出入れ部Ｂは、図示した溝状のほか、横長穴状のものもあるが、本発明配線出入れ部カバーは適用可能である。
【００２１】
図１において、Ｃは溝状をなす配線出入れ部Ｂを跨ぐようにして当該出入れ部Ｂの長さ方向の一部に、そこを跨ぐようにしてその出入れ部Ｂに配設された本発明配線出入れ部カバーの一例である。
図１〜図４に示した例では、本発明配線出入れ部カバーＣ（以下、単に本発明カバーＣという）の一例は、断面外形（図４参照）が大略台形状の本体部１と、該本体部１の両方の下端部から連続して一体に形成された断面が浅い略凹状をなす２つの翼状部２，３とからなるカバー体を主体に形成されている。本発明では、翼状部が一つのカバー体もある。これはシングル天板机の配線出入れ部のカバーとして好適に用いられる。前記カバー体における本体部１の断面外形としては、上記の台形状のほかに、矩形状，略椀状，山形状など、天板Ａの上面から凸出する外形のものであってもよい。これらの外形の本体部１にも翼状部２，３を形成することができる。
【００２２】
上記カバー体において、２つの翼状部２，３における対向する内面端の距離（長さ）ｗは、通常、配線出入れ部Ｂの有する前後幅が４０ｍｍ〜１２０ｍｍ程度であるため、本発明カバーＣにおける前記距離ｗは、最少４０ｍｍ〜最大１２０ｍｍ程度の大きさに形成すればよい。また、上記カバー体における本体部１の高さは、前記翼状部２，３がなす距離ｗの幅に対応して５０ｍｍ程度が好ましい。この高さは、後で説明する本体部１の傾斜面１ｂ，１ｃに凭れさせる携帯電話機等の端末の高さに対しても適当と考えられる。
【００２３】
本発明において、カバー体を形成する本体部１と翼状部２，３は、次の構成を備えたものである。即ち、本体部１は、その上面１ａが断面台形状の上辺状のフラットに形成されていて小物等を載せることができ、上面に連続して形成された２つの傾斜面１ｂ，１ｃが、端末を凭れさせる支持面と、後述するコンセント等の接続ターミナル等を取付ける接続ターミナルの設置部として形成されている。
【００２４】
また、翼状部２，３は、それぞれの手前側の辺が小さい高さで立上げられた小立壁２ａ，３ａに形成されており、この翼状部２，３が形成する前記傾斜面１ｂ，１ｃの下部と小立壁２ａ，３ａ、並びに、これらの面と壁に挟まれた底壁２ｂ，３ｂによって形成される浅い凹部が、前記傾斜面１ｂ，１ｃに立てかける端末の滑り止め支持部やメモリや筆記具などの載置部として機能するように形成されている。
【００２５】
上記本体部１には、図１〜図４に示す実施例では前記翼状部２，３との境界部近傍に側断面の下半側が大略π状をなす係止具４が設けられている。
係止具４は、本発明カバーＣを配線出入れ部Ｂを形成する溝の対向する縁ｅ１，ｅ２に、当該係止具４がそのベース部４ａに垂下して備えた対向する当接片４ｂ，４ｃが当接することにより、当該出入れ部Ｂに配置した本発明カバーＣをその位置に保持するものである。
【００２６】
図示した係止具４は、一例として、図２〜４に例示するように、板材によって形成した平面略Ｈ状をなすベース部４ａと、該ベース部４ａの中心部材を挟む部位から下向きに垂設した対向する舌片状の当接片４ｂ，４ｃとから形成されており、当接片４ｂ，４ｃの外面が、配線出入れ部Ｂの対向した縁ｅ１，ｅ２に、両当接片４ｂ，４ｃのバネ性を介して当接することにより、この出入れ部Ｂにマウント（跨設）した本発明カバーＣの位置を保持する。なお、平面略Ｈ状のベース部４ａは、その左右両側部を立上げて本体部１ａの断面内形（略台形状）に合致する外形を有する立壁部４１ａを備えている。
【００２７】
前記係止具４は、対向する２つの当接片４ｂ，４ｃの距離（長さ）を、配線出入れ部Ｂの異なる幅（前後幅）に合せたものを、幾つか用意すれば、異なる幅の配線出入れ部Ｂに適用することができる。
【００２８】
また、２つの当接片４ｂ，４ｃの距離を可変にするため、例えば、ベース部４ａに対して、当該辺４ｂ，４ｃをスライド可能に垂下立設すると共に、この当接片４ｂ，４ｃのスライド幅を常に拡開する側に保持するバネ（図示せず）を立設した当接片４ｂ，４ｃをベース部４ａの間に設けることもできる。この構成にすると、一つの係止具４で幅の異なる配線出入れ部Ｂに本発明カバーＣを用いることができて便利である。
【００２９】
係止具４は、図５に要部を例示したように構成することもできる。すなわち、本体部１の両側端に、その開口端部を閉塞するため上，下に水平な支持壁４１ｃ，４１ｄを有する側断面略コ状の立壁部４１ｂを設け、このコ状立壁部４１ｂの下位の支持壁４１ｄに、側面から見て倒立した断面略Ｌ状の当接片４ｄを、その水平辺４ｆにおいて、ビス止め４ｇなどの固定手段により止着したものにより、係止具４とするのである。
【００３０】
係止具４を、側面コ状の立壁部４１ｂと、倒立した略Ｌ状の当接片４ｄに分離した構成にすると、当接片４ｄの前後幅（溝の幅に対応）を取替えて変更することにより、溝幅の異なる配線出入れ部Ｂに対応することができる。
【００３１】
図３において、５は本発明カバーＣの翼状部２，３の裏面に設けた滑り止め用のウレタンシートなどによるパッチ状をなす滑り止め材である。滑り止め材５は必須の部材ではなく、係止具４の位置保持作用を補完ないし補助するものである。
【００３２】
６は、本発明カバーＣにおいて、本体部１の傾斜面１ｂ，１ｃに設けた接続ターミナルで、例えば携帯端末などの充電コンセント６ａや電源コンセント６ｂなどの接続器が設けられている。各ターミナル６の電源線は、図示しないが配線出入れ部Ｂの下方に配置されている配線ダクト内などに収容されている。接続ターミナル６は、翼状部２，３が本体部１の一方の傾斜面１ｂ又は１ｃにしか設けられない場合は、翼状部が設けられた側の傾斜面に設けられる。
【００３３】
本発明は以上の通りであるから、溝状や長穴状など様々な形態の配線出入れ部に対し、当該出入れ部を上から跨ぐように配置することにより、配線出入れ部のカバーとして機能するから、特に、天板の長さ方向に貫通して形成された溝状の配線出入れ部の一部を体裁よくカバーすることができ、また、様々な配線出入れ部に対しても設置，移動，撤去に特別な工具や段取りを要することなく、それらを容易かつ迅速に実行することができる。しかも、本発明配線出入れ部は、その構造や形態は至ってシンプルであるから容易かつ低価格で作製提供することができる。
【符号の説明】
【００３４】
Ａ      机の天板
Ｂ      溝状の配線出入れ部
Ｃ      本発明カバー
１      本体部
２，３  翼状部
４      係止具
５      滑り止め材
６      接続ターミナル
【図１】
2014151075.tif 000003
【図２】
2014151075.tif 000004
【図３】
2014151075.tif 000005
【図４】
2014151075.tif 000006
【図５】
2014151075.tif 000007